Podtech/llm-jp-corpus-v4-ja_patent huggingface dataset:
【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
センサーを備え無線通信を行う複数のセンサー端末と、前記複数のセンサー端末と通信する通信経路を構築し、前記通信経路に基づいて前記各センサー端末との無線通信を行うＧＷ端末とを備え、前記複数のセンサー端末と前記ＧＷ端末とをノードとする無線センサーネットワークシステムであって、
センサー端末が、ネットワークに参入する際に、第１の送信出力で、既存のノードを介して前記ＧＷ端末に加入要求を送信し、
前記ＧＷ端末が、前記加入要求を受信すると、前記受信した経路上のノードのトラフィック負荷を算出し、前記ホップ数と前記トラフィック負荷が共に許容範囲内であれば、前記センサー端末の通信経路を前記受信した経路とし、前記ホップ数と前記トラフィック負荷の少なくとも一方が許容範囲外であれば、前記センサー端末又は前記既存のノードに対して、前記第１の送信出力よりも大きい第２の送信出力で、前記ＧＷ端末又はトラフィック負荷の小さい特定のノードに直接接続するよう指示を出力して通信経路を再構築し、
前記指示を受信した前記センサー端末は前記既存のノードは、前記管理端末宛に、伝達遅延時間が問題となるようなデータを送信する際に、前記第２の送信出力で前記ＧＷ端末又は前記特定のノードに直接送信し、
前記ＧＷ端末は、前記センサー端末は前記既存のノードへの下り方向への通信については、前記第２の送信出力を必要としないマルチホップの経路を用いることを特徴とする無線センサーネットワークシステム。
【請求項２】
前記無線センサーネットワークシステムは、ＴＳＣＨ方式で無線アクセスを行うものであり、
前記ＧＷ端末は、前記複数のセンサー端末に割り当てるタイムスロットを管理し、
前記複数のセンサー端末は、上り方向用に、宛先となるＧＷ端末のアドレスと、当該センサー端末からＧＷ端末への経路上にある次ノードのアドレスとを記憶可能で、また下り方向用に、当該センサー端末より下位のノードのアドレスと、経路上にある次ノードのアドレスとを記憶可能なルーティングテーブルを有し、前記通信経路の再構築はＧＷ端末からの指示に基づいてルーティングテーブルを更新することで行うことを特徴とする請求項１記載の無線センサーネットワークシステム。
【請求項３】
前記直接接続の指示は、第１の送信出力から第２の送信出力への切り替える指示、上り方向の宛先をＧＷ端末に設定する指示、高出力対応の機種であるかどうかの問い合わせ、の少なくとも１つを含み、
該直接接続の指示を受信した前記センサー端末が第２の送信出力の送信能力を有しないときは、該センサー端末は、非対応を示す応答をＧＷ端末に返し、
該非対応の応答を受信したＧＷ端末は、該応答を返した該センサー端末の下位に接続されている他のセンサー端末に、直接接続の指示を出力するものであり、
前記経路の再構築を行った場合には、新しいルートに基づいて、ＧＷ端末から既知のデータを送信し、宛先のセンサー端末から当該データを正常に受信した旨の応答を受信した場合に、新しいルートのルーティングテーブルを確定することを特徴とする請求項２記載の無線センサーネットワークシステム。
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
搬送される第１の原稿の第１面の画像を読み取り、第２の原稿の第１面の画像を読み取った後に、前記第１の原稿の第２面の画像を読み取り、前記第２の原稿の第２面の画像を読み取り可能な読取手段と、
前記読取手段によって読み取られた前記第１の原稿の前記第１面の画像を、記憶手段に記憶することなく出力し、前記読取手段によって読み取られた前記第２の原稿の第１面の画像を前記記憶手段に記憶し、前記第１の原稿の前記第１面の画像が出力された後、前記読取手段によって読み取られた前記第１の原稿の第２面の画像を、前記記憶手段に記憶することなく出力し、前記第１の原稿の第２面の画像が出力された後、前記記憶手段に記憶された前記第２の原稿の第１面の画像を出力し、前記第２の原稿の第１面の画像を出力した後、前記読取手段によって読み取られた前記第２の原稿の第２面の画像を出力する出力手段と、を有することを特徴とする画像読取装置。
【請求項２】
片面読取を実行するか、両面読取を実行するかを設定する設定手段と、
前記読取手段は、前記設定手段によって前記両面読取が設定された場合に、搬送される前記第１の原稿の第１面の画像を読み取り、前記第２の原稿の第１面の画像を読み取った後に、前記第１の原稿の第２面の画像を読み取り、前記第２の原稿の第２面の画像を読み取る、ことを特徴とする請求項１に記載の画像読取装置。
【請求項３】
前記読取手段は、前記設定手段によって前記片面読取が設定された場合に、搬送される前記第１の原稿の第１面の画像を読み取った後に、前記第２の原稿の第１面の画像を読み取る、ことを特徴とする請求項２に記載の画像読取装置。
【請求項４】
前記設定手段によって前記片面読取が設定され、前記読取手段によって、搬送される前記第１の原稿の第１面の画像を読み取った後に、前記第２の原稿の第１面の画像を読み取る場合に、前記出力手段は、前記第１の原稿の第１面の画像を出力し、前記第２の原稿の第１面の画像を出力する、ことを特徴とする請求項３に記載の画像読取装置。
【請求項５】
前記出力手段は、原稿の画像を外部装置に送信する送信手段、または原稿の画像を外部のメモリに格納する格納手段である、ことを特徴とする請求項１乃至４のいずれか１項に記載の画像読取装置。
【請求項６】
搬送される第１の原稿の第１面の画像及び第１の原稿の第２面の画像を読み取った後に、前記第２の原稿の第１面の画像及び前記第２の原稿の第２面の画像を読み取る第１の読取動作、及び、搬送される第１の原稿の第１面の画像及び第２の原稿の第１面の画像を読み取った後に、前記第１の原稿の第２面の画像及び前記第２の原稿の第２面の画像を読み取る第２の読取動作とを実行可能な読取手段と、
前記読取手段によって読み取られた原稿の画像を記憶手段に記憶した後に当該画像を出力する第１の出力方法と、前記読取手段によって読み取られた原稿の画像を前記記憶手段に記憶しながら当該画像を出力する第２の出力方法のいずれかを指定する指定手段と、
前記指定手段によって前記第２の出力方法が指定された場合に、前記読取手段に前記第２の読取動作を実行させる制御手段と、を有することを特徴とする画像読取装置。
【請求項７】
搬送される第１の原稿の第１面の画像を読み取り、第２の原稿の第１面の画像を読み取った後に、前記第１の原稿の第２面の画像を読み取り、前記第２の原稿の第２面の画像を読み取り可能な読取工程と、
前記読取工程で読み取られた前記第１の原稿の前記第１面の画像を、記憶手段に記憶することなく出力し、前記読取工程で読み取られた前記第２の原稿の第１面の画像を前記記憶手段に記憶し、前記第１の原稿の前記第１面の画像が出力された後、前記読取工程で読み取られた前記第１の原稿の第２面の画像を、前記記憶手段に記憶することなく出力し、前記第１の原稿の第２面の画像が出力された後、前記記憶手段に記憶された前記第２の原稿の第１面の画像を出力し、前記第２の原稿の第１面の画像を出力した後、前記読取工程で読み取られた前記第２の原稿の第２面の画像を出力する出力工程と、を有することを特徴とする画像読取装置の制御方法。
【請求項８】
請求項７に記載された画像読取装置の制御方法を、コンピュータに実行させるためのプログラム。
【手続補正２】
【補正対象書類名】明細書
【補正対象項目名】００１０
【補正方法】変更
【補正の内容】
【００１０】
上記目的を達成する本発明の画像読取装置は以下に示す構成を備える。
搬送される第１の原稿の第１面の画像を読み取り、第２の原稿の第１面の画像を読み取った後に、前記第１の原稿の第２面の画像を読み取り、前記第２の原稿の第２面の画像を読み取り可能な読取手段と、前記読取手段によって読み取られた前記第１の原稿の前記第１面の画像を、記憶手段に記憶することなく出力し、前記読取手段によって読み取られた前記第２の原稿の第１面の画像を前記記憶手段に記憶し、前記第１の原稿の前記第１面の画像が出力された後、前記読取手段によって読み取られた前記第１の原稿の第２面の画像を、前記記憶手段に記憶することなく出力し、前記第１の原稿の第２面の画像が出力された後、前記記憶手段に記憶された前記第２の原稿の第１面の画像を出力し、前記第２の原稿の第１面の画像を出力した後、前記読取手段によって読み取られた前記第２の原稿の第２面の画像を出力する出力手段と、を有することを特徴とする。
【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
車体の車幅方向両端部に夫々位置し、車両長手方向に延在する側外板と、
前記車体の車両長手方向前端部に位置し、車幅方向両端部が前記側外板に接合されている妻構体と、を備え、
前記妻構体は、
車幅方向端部において、前記側外板に向かって車両長手方向後方に傾斜している傾斜部と、
前記傾斜部の車両長手方向前方側にある傾斜面に形成され、前記傾斜部より摩擦抵抗が小さい固体潤滑部とを有する構体構造を備えた鉄道車両。
【請求項２】
前記妻構体は、
妻外板と、
前記車体の車幅方向両隅に位置し、両端部が前記妻外板と前記側外板に夫々接合され、前記傾斜面を有する第１隅柱とを備える、請求項１に記載の鉄道車両。
【請求項３】
前記妻構体は、
妻外板と、
前記車体の車幅方向両隅であって、前記妻外板及び前記側外板に対して車内側に位置し、前記妻外板と前記側外板とを接合する第２隅柱とを備え、
前記傾斜部は、前記第２隅柱及び前記妻外板より前記車両長手方向外方に位置し、前記第２隅柱より前記車幅方向外側まで延在している、請求項１に記載の鉄道車両。
【請求項４】
前記固体潤滑部は、シート状の固体潤滑材によって構成されており、
前記固体潤滑材は、潤滑材用締結具により前記傾斜部に締結されて前記傾斜面に取付けられている、請求項１乃至３の何れか１つに記載の鉄道車両。
【請求項５】
前記潤滑材用締結具は、その頭部が前記固体潤滑材側に位置し、且つ前記頭部が前記固体潤滑材の表面から車両長手方向外方に突出しないようになっている、請求項４に記載の鉄道車両。
【請求項６】
前記固体潤滑材は、車両長手方向外方から見て前記側外板に設けられる腰帯と重なる位置及びその近傍に少なくとも設けられている、請求項１乃至５の何れか１つに記載の鉄道車両。
【請求項７】
前記固体潤滑材を長手方向外方から覆うように前記傾斜部に取付けられたカバー部材を備える、請求項１乃至６の何れか１つに記載の鉄道車両。
【請求項８】
前記傾斜部と前記カバー部材とは、カバー用締結具によって締結されており、
前記カバー部材は、前記カバー用締結具が貫通する貫通孔を有しており、
前記貫通孔は、前記傾斜部に向かって狭まるようにテーパ状に形成されている、請求項７に記載の鉄道車両。
【請求項９】
前記カバー部材と前記車体とを繋ぐ連結部材を備える、請求項７又は８に記載の鉄道車両。
【請求項１０】
前記固体潤滑部は、前記傾斜面に固体潤滑剤をコーティングすることによって前記傾斜面に形成されている、請求項１乃至３の何れか１つに記載の鉄道車両。
【請求項１１】
前記固体潤滑部は、前記傾斜面に沿わせるように設けられた取付板を有し、
前記取付板は、固体潤滑剤がコーティングされている、請求項１乃至３の何れか１つに記載の鉄道車両。
【手続補正２】
【補正対象書類名】明細書
【補正対象項目名】０００７
【補正方法】変更
【補正の内容】
【０００７】
本発明の鉄道車両の構体構造は、車体の車幅方向両端部に夫々位置する側外板と、前記車体の車両長手方向前端部に位置し、車幅方向両端部が前記側外板に接合されている妻構体と、を備え、前記妻構体は、車幅方向端部において、前記側外板に向かって車両長手方向後方に傾斜している傾斜部と、前記傾斜部の長手方向前方側にある傾斜面に形成され、前記傾斜部より摩擦抵抗が小さい固体潤滑部とを有する構体構造を備えたものである。
【手続補正３】
【補正対象書類名】明細書
【補正対象項目名】００１５
【補正方法】変更
【補正の内容】
【００１５】
＜妻構体＞
妻構体３は、図１に示すように、妻外板７、貫通路柱８、かもい９、桟部材１０、アーチ桁２３及び隅柱５を有している。図１に示すように妻外板７は、正面視で大略的に逆Ｕ字状の板部材であり、台枠２に立設されている。妻外板７の上端は、後述するアーチ桁２３まで延在しており、妻外板７は、逆Ｕ字状の切欠きが形成され、中央部分に貫通路７ａを有している。貫通路７ａの両側には、貫通路７ａに沿って貫通路柱８が夫々立設されており、貫通路７ａの上側には、かもい９が設けられている。貫通路柱８は、台枠２からアーチ桁２３まで延在しており、かもい９は、これら２つの貫通路柱８の間を渡すように左右に延在している。また、妻外板７の内側には、貫通路柱８より外側に断面ハット状の複数の桟部材１０が上下左右に夫々延在させて設けられている。
【手続補正書】
【提出日】平成26年3月7日(2014.3.7)
【手続補正１】
【補正対象書類名】特許請求の範囲
【補正対象項目名】全文
【補正方法】変更
【補正の内容】
【特許請求の範囲】
【請求項１】
外周に車輪が結合されるべき円筒形状のハブと、
前記ハブの一面側を貫通し当該ハブを回転自在に支持する第１固定軸部材と、
前記第１固定軸部材と同軸で前記ハブの他面側を貫通し当該ハブを回転自在に支持する第２固定軸部材と、
前記ハブの内部に配置され、前記第１固定軸部材が貫通すると共に前記第１固定軸部材に固定されたモータベースと、
前記モータベースに固定されたステータと、
前記ステータの内周領域に配置され、前記第１固定軸部材に回転自在に支持されたロータと、
前記第２固定軸部材と同軸となる貫通口を有すると共に前記ロータから回転力が入力されて当該ロータの回転速度を減速する減速機構と、
前記ハブの内周面に固定され、前記減速機構の出力側ギアが接続されたリング状の内歯ギアと、
前記貫通口を介して前記第１固定軸部材と前記第２固定軸部材とをそれらの軸線上で連結する第３固定軸部材と、
を含むことを特徴とするインホイールモータ。
【請求項２】
前記第３固定軸部材は、前記第１固定軸部材と前記第２固定軸部材の少なくとも一方と一体形成されることを特徴とする請求項１記載のインホイールモータ。
【請求項３】
前記モータベースは、前記ステータの少なくとも一部を前記ハブ内部に露出させる露出口を有することを特徴とする請求項１または請求項２記載のインホイールモータ。
【請求項４】
前記ハブは、一方面に開口部を有するカップ形状の第１部材と、前記開口部を封止する円板形状の第２部材とで構成されることを特徴とする請求項１から請求項３のいずれか１項に記載のインホイールモータ。
【請求項５】
前記減速機構は、入力側の太陽ギアとそれと噛合する複数の遊星ギアで構成され、前記遊星ギアの数が２〜５であり、
前記遊星ギアは、前記第２固定軸部材に固定されたギアケースに植設されたギア固定軸に、当該ギア固定軸の軸方向の移動を規制しつつ前記遊星ギアと共に回転する一対のワッシャで挟まれて位置決めされることを特徴とする請求項１から請求項４のいずれか１項に記載のインホイールモータ。
【請求項６】
前記ワッシャは、自己潤滑性のある材質で形成され、
前記ギアケースと前記遊星ギアとの間に弾性部材を介在させたことを特徴とする請求項５に記載のインホイールモータ。
【手続補正書】
【提出日】平成26年4月17日(2014.4.17)
【手続補正１】
【補正対象書類名】明細書
【補正対象項目名】０００４
【補正方法】変更
【補正の内容】
【０００４】
ところで、上記したような可動演出役物を複数備えたパチンコ遊技機では、特定の可動演出役物の作動回数が他の可動演出役物より多くなり、特定の可動演出役物だけが劣化してしまうおそれがあった。
本発明は、上記したような点を鑑みてなされたものであり、遊技者の可動演出役物に対する興趣を高めつつ、特定の可動演出役物の作動負担を軽減することができるパチンコ遊技機を提供することを目的とする。
【手続補正２】
【補正対象書類名】明細書
【補正対象項目名】０００８
【補正方法】変更
【補正の内容】
【０００８】
本発明によれば、遊技者が操作可能な操作手段により可動演出役物を作動させるタイミングが予め設定されるので、遊技者の可動演出役物に対する興趣を高めつつ、特定の可動演出役物の作動負担を軽減することができる。
【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
光源からの光を回折することによって、明部と暗部とが２次元に配列した干渉パターンを形成する回折格子と、前記回折格子からの前記光を透過する透過部と前記回折格子からの前記光を遮る遮蔽部とが２次元に配列した遮蔽格子と、前記干渉パターンと前記遮蔽格子との相対位置を変化させる移動手段と、前記遮蔽格子からの前記光を検出する検出器と、を備え、被検体を撮像する撮像装置であって、
前記検出器は、前記移動手段が前記相対位置を前記第１および第２の方向と異なる第３の方向に変化させている間に該相対位置の変化に対応して前記光を複数回検出することで、複数の検出結果を取得することを特徴とする撮像装置。
【請求項２】
前記第３の方向は、
前記第３の方向へ前記相対位置が変化することにより、
前記第１の方向における前記相対位置の変化量と、前記第２の方向における前記相対位置の変化量とが異なるような方向であることを特徴とする請求項１に記載の撮像装置。
【請求項３】
前記第１の方向と前記第２の方向とは互いに直交し、
前記第３の方向は、前記第１の方向と４５度をなす方向と異なることを特徴とする請求項１又は２に記載の撮像装置。
【請求項４】
前記移動手段は、前記第３の方向にのみ前記干渉パターンと前記遮蔽格子との相対位置を変化させることで位相シフト法を行うことを特徴とする請求項１乃至３のいずれか１項に記載の撮像装置。
【請求項５】
前記検出器による検出結果に基づいて、第１の方向と該第１の方向と交差する第２の方向とにおける前記光の位相の微分値を算出する算出手段を備え、
前記検出器は、前記相対位置の前記第３の方向への変化に対応して前記光を５回以上検出することで、５つ以上の前記検出結果を取得し、
前記算出手段は５つ以上の前記検出結果に基づいて前記第１の方向と前記第２の方向とにおける前記位相の微分値を算出するように構成されていることを特徴とする請求項１乃至４のいずれか１項に記載の撮像装置。
【請求項６】
前記光はＸ線であることを特徴とする請求項１乃至５のいずれか１項に記載の撮像装置。
【請求項７】
光源からの光を回折することによって、明部と暗部とが２次元に配列した干渉パターンを形成する回折格子と、
前記回折格子からの前記光を透過する透過部と前記回折格子からの前記光を遮る遮蔽部とが２次元に配列した遮蔽格子と、前記干渉パターンと前記遮蔽格子との相対位置を変化させる移動手段と、前記遮蔽格子からの前記光を検出する検出器と、を備え、被検体を撮像する撮像装置に用いられる撮像方法であって、
前記移動手段が前記相対位置を前記第１および第２の方向と異なる第３の方向に変化させている間に該相対位置の変化に対応して前記検出器が前記光を複数回検出することで、複数の検出結果を取得する工程を有することを特徴とする撮像方法。
【手続補正書】
【提出日】平成26年8月20日(2014.8.20)
【手続補正１】
【補正対象書類名】特許請求の範囲
【補正対象項目名】全文
【補正方法】変更
【補正の内容】
【特許請求の範囲】
【請求項１】
遊技機の遊技情報と前記遊技情報以外の所定の情報を表示する遊技場表示装置であって、
前記遊技場表示装置の表示内容を制御する制御手段を備え、
前記所定の情報には、遊技機に関連する所定の背景画像が含まれ、
前記制御手段は、前記背景画像に前記遊技情報を重ねて表示させることを特徴とする遊技場表示装置。
【請求項２】
前記所定の情報には、遊技機の名称に関連する文字情報が含まれ、
前記制御手段は、前記文字情報と前記遊技情報とを重ならないように表示させることを特徴とする請求項１記載の遊技場表示装置。
【請求項３】
前記制御手段は、
前記遊技情報を所定の透過率で透過させて表示される第１のレイヤ上に表示させ、
前記背景画像を前記第１のレイヤよりも下位の第２のレイヤに表示させることを特徴とする請求項１又は２記載の遊技場表示装置。
【請求項４】
前記遊技情報は、獲得遊技媒体数から投入遊技媒体数を差し引いた差玉数であり、
前記制御手段は、
前記差玉数の時間の推移を示す前記遊技情報を所定の折れ線グラフによって非透過で表示することを特徴とする請求項１〜３のいずれか一項記載の遊技場表示装置。
【請求項５】
前記制御手段は、
前記折れ線グラフの線分を所定の色で表すとともに、この線分の周囲を当該線分の色との関係にもとづく他の色で表すことを特徴とする請求項４記載の遊技場表示装置。
【請求項６】
遊技機の遊技情報と前記遊技情報以外の所定の情報を表示する遊技場表示装置を構成するコンピュータを、
前記遊技場表示装置の表示内容を制御する制御手段として機能させ、
前記所定の情報には、遊技機に関連する所定の背景画像が含まれ、
前記制御手段を、前記背景画像を前記遊技情報と重ねて表示させるように機能させる遊技場表示装置用プログラム。
【手続補正２】
【補正対象書類名】明細書
【補正対象項目名】発明の名称
【補正方法】変更
【補正の内容】
【発明の名称】遊技場表示装置及び遊技場表示装置用プログラム
【手続補正３】
【補正対象書類名】明細書
【補正対象項目名】０００４
【補正方法】変更
【補正の内容】
【０００４】
しかしながら、遊技場表示装置は、有効に活用されていないことが指摘されていた。
【手続補正４】
【補正対象書類名】明細書
【補正対象項目名】０００５
【補正方法】変更
【補正の内容】
【０００５】
本発明は、来店者に有用な情報を提供することを目的とする。
【手続補正５】
【補正対象書類名】明細書
【補正対象項目名】０００６
【補正方法】変更
【補正の内容】
【０００６】
上記目的を達成するため、本発明の遊技場表示装置は、遊技機の遊技情報と前記遊技情報以外の所定の情報を表示する遊技場表示装置であって、前記遊技場表示装置の表示内容を制御する制御手段を備え、前記所定の情報には、少なくとも遊技機に関連する所定の背景画像と、遊技機の名称に関連する文字情報と、が含まれ、前記制御手段は、前記文字情報と前記遊技情報とを重ならないように表示させ、前記背景画像を前記遊技情報と重ねて表示させる構成としてある。
【手続補正６】
【補正対象書類名】明細書
【補正対象項目名】０００８
【補正方法】削除
【補正の内容】
【手続補正書】
【提出日】平成26年4月8日(2014.4.8)
【手続補正１】
【補正対象書類名】明細書
【補正対象項目名】０００８
【補正方法】変更
【補正の内容】
【０００８】
本発明のインクジェット記録装置は、吐出口からインクを吐出可能な記録ヘッドと、前記記録ヘッドの前記吐出口をキャッピング可能なキャップ位置と、前記キャップ位置から離間した退避位置と、の間にて移動可能なキャップと、前記キャップの内部に負圧を導入する負圧導入手段と、を備え、前記キャップが前記吐出口をキャッピングした状態で、前記負圧導入手段が前記キャップの内部に負圧を導入することにより回復動作を実施するインクジェット記録装置であって、前記キャップを前記キャップ位置と前記退避位置とに移動させ、前記キャップを前記退避位置から前記キャップ位置に向かって移動させる一方向の移動力を、前記キャップに伝達する移動手段と、前記退避位置から前記キャップ位置に向かって移動する前記キャップに当接することにより、前記キャップを前記キャップ位置に止めるストッパと、前記キャップの内部と大気とを連通する連通路に備えられた大気開放弁と、前記大気開放弁を開閉する可動体と、を備え、前記可動体は、前記キャップが前記ストッパに当接するまで前記大気開放弁を開いた状態とし、前記キャップが前記ストッパに当接してから前記一方向の移動力により前記大気開放弁を閉じることを特徴とする。
【手続補正２】
【補正対象書類名】特許請求の範囲
【補正対象項目名】全文
【補正方法】変更
【補正の内容】
【特許請求の範囲】
【請求項１】
吐出口からインクを吐出可能な記録ヘッドと、
前記記録ヘッドの前記吐出口をキャッピング可能なキャップ位置と、前記キャップ位置から離間した退避位置と、の間にて移動可能なキャップと、
前記キャップの内部に負圧を導入する負圧導入手段と、を備え、
前記キャップが前記吐出口をキャッピングした状態で、前記負圧導入手段が前記キャップの内部に負圧を導入することにより回復動作を実施するインクジェット記録装置であって、
前記キャップを前記キャップ位置と前記退避位置とに移動させ、前記キャップを前記退避位置から前記キャップ位置に向かって移動させる一方向の移動力を、前記キャップに伝達する移動手段と、
前記退避位置から前記キャップ位置に向かって移動する前記キャップに当接することにより、前記キャップを前記キャップ位置に止めるストッパと、
前記キャップの内部と大気とを連通する連通路に備えられた大気開放弁と、
前記大気開放弁を開閉する可動体と、
を備え、
前記可動体は、前記キャップが前記ストッパに当接するまで前記大気開放弁を開いた状態とし、前記キャップが前記ストッパに当接してから前記一方向の移動力により前記大気開放弁を閉じる
ことを特徴とするインクジェット記録装置。
【請求項２】
前記一方向の移動力を前記キャップに伝達する弾性体を備え、
前記可動体は、前記弾性体の変形量に応じて変位することにより前記大気開放弁を開閉するものであって、前記一方向の移動力による前記弾性体の変形量が所定量以下のときに前記大気開放弁を開き、前記キャップが前記ストッパに当接してから前記一方向の移動力による変形量が前記所定量を超えたときに前記大気開放弁を閉じる
ことを特徴とする請求項１に記載のインクジェット記録装置。
【請求項３】
前記大気開放弁は、前記連通路の開口部と、前記可動体の変位に応じて前記開口部を開放および密閉可能な弁部と、を含むことを特徴とする請求項２に記載のインクジェット記録装置。
【請求項４】
前記開口部および前記弁部の少なくとも一方は、弾性材料によって形成されることを特徴とする請求項２に記載のインクジェット記録装置。
【請求項５】
前記弁部は、弾性部材を介して前記可動体に取り付けられることを特徴とする請求項３または４に記載のインクジェット記録装置。
【請求項６】
前記移動手段により移動されるスライドフレームと、
前記スライドフレームの定位置に備えられて前記ストッパと当接可能であり、かつ前記キャップが取り付けられるキャップフレームと、
を備えることを特徴とする請求項１から５のいずれか１項に記載のインクジェット記録装置。
【請求項７】
前記キャップフレームは、前記スライドフレームに着脱可能に備わることを特徴とする請求項６に記載のインクジェット記録装置。
【請求項８】
前記キャップは、前記移動手段により移動されて、前記ストッパと当接可能なキャップフレームに取り付けられることを特徴とする請求項１から５のいずれか１項に記載のインクジェット記録装置。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
厚さ２０〜２００μｍのステンレス箔と、該ステンレス箔上に配置された、厚さ３〜１０μｍのシロキサンポリマー皮膜とを含む皮膜付きステンレス箔であって；且つ、
前記シロキサンポリマー皮膜が、Ｍｇ、Ｃａ、Ｙ、Ａｌ、Ｓｉ、Ｓｎ、Ｔｉ、Ｚｒ、Ｎｂ、Ｔａ、Ｗの中から選ばれた１つの金属と、メトキシ基、エトキシ基、プロポキシ基、ブトキシ基等のアルコキシ基の中から重複を許して選ばれた４つの基から構成される金属アルコキシドにより架橋された、シロキサンポリマー皮膜であり；
３００℃〜６００℃の耐熱性を有し、かつ、１×１０９Ωｃｍ２以上の抵抗を有することを特徴とする皮膜付きステンレス箔。
【請求項２】
前記シロキサンポリマーが、ポリジメチルシロキサンであることを特徴とする請求項１に記載の皮膜付きステンレス箔。
【請求項３】
前記シロキサンポリマーが、ポリジフェニルシロキサンであることを特徴とする請求項１に記載の皮膜付きステンレス箔。
【請求項４】
Ｍｇ、Ｃａ、Ｙ、Ａｌ、Ｓｉ、Ｓｎ、Ｔｉ、Ｚｒ、Ｎｂ、Ｔａ、Ｗの中から選んだ１つの金属とメトキシ基、エトキシ基、プロポキシ基、ブトキシ基等のアルコキシ基の中から重複を許して選んだ４つの基から構成される金属アルコキシドのモル数をＭ、分子量が３×１０２〜３×１０４Ｍｗであるシロキサンポリマーのモル数をＳ、水のモル数をＷ、β−ジケトン（Ｒ１ＣＯＣＨ２ＣＯＲ２）ないしβ−ケトエステル（Ｒ１ＣＯＣＨ２ＣＯＯＲ２）の化学改質剤（Ｒ１、Ｒ２はアルキル基を示す）のモル数をＸとし、／は除算を表すときに、
Ｓ／Ｍ＝０．０５〜１．５              …（式１）
Ｗ／（Ｓ＋Ｍ）＝０．１〜１０．０      …（式２）
Ｘ／Ｍ＝１．５〜２．５                …（式３）
を満足するように混合して生成した塗布液を、以下の「Ａプロセス」および「プロセス」を、
（１）Ａプロセス実施後にＢプロセスを１回以上実施する；あるいは、
（２）Ａプロセスを実施せずに、Ｂプロセスを１回以上実施する、ことを特徴とする皮膜付きステンレス箔の製造方法；
「Ａプロセス」：
厚さ２０〜２００μｍステンレス箔に塗布した後に２００℃の大気中で２０分間乾燥させ、２６０℃〜３４０℃の温度を有する酸素存在雰囲気内に０．５時間〜２．５時間置く工程を実施するプロセス；
「Ｂプロセス」：
３６０℃〜５００℃の温度を有するアルゴンあるいは窒素の少なくとも一方を含む雰囲気内に０．５時間〜２．５時間置く工程を実施するプロセス。
【請求項５】
前記化学改質剤が３−オキソブタン酸エチルであることを特徴とする請求項４に記載の皮膜付きステンレス箔の製造方法。
【請求項６】
前記シロキサンポリマーがポリジメチルシロキサンであることを特徴とする請求項４または５に記載の皮膜付きステンレス箔の製造方法。
【請求項７】
前記シロキサンポリマーがポリジフェニルシロキサンであることを特徴とする請求項４または５に記載の皮膜付きステンレス箔の製造方法。
【手続補正書】
【提出日】平成26年4月22日(2014.4.22)
【手続補正１】
【補正対象書類名】特許請求の範囲
【補正対象項目名】全文
【補正方法】変更
【補正の内容】
【特許請求の範囲】
【請求項１】
印刷データと、前記印刷データのレイアウトを入力する入力手段と、
表示画面を有する表示手段と、
前記印刷データを、前記入力手段により入力されたレイアウトに基づいて複数のブロックに分割する分割手段と、
前記分割手段により分割されたブロックごとに、前記印刷データを前記表示手段によりスクロール表示させる表示制御手段と、
前記印刷データを前記入力手段により入力されたレイアウトに従ってテープ状の印刷媒体に印刷する印刷手段と、を備え、
前記分割手段は、前記入力手段により入力された前記印刷データのレイアウトが複数行で構成され、その行数が前記表示手段の表示可能行数を超える場合に、行単位で前記ブロックに分割すること、
を特徴とするテープ印刷装置。
【請求項２】
前記表示制御手段は、前記分割手段により分割された前記印刷データの各ブロックを、前記印刷手段が前記印刷データを前記印刷媒体に印刷する場合と同じ向きにスクロール表示することを特徴とする請求項１記載のテープ印刷装置。
【請求項３】
前記表示制御手段は、前記分割手段により分割された前記印刷データの各ブロック内のデータを、前記入力手段により入力されたレイアウトにおける並び順と同じ順序で配置してスクロール表示することを特徴とする請求項１または２記載のテープ印刷装置。
【請求項４】
前記表示制御手段は、前記印刷データの一つのブロックの末尾に次のブロックを配置して、複数のブロックを続けて前記表示手段によりスクロール表示することを特徴とする請求項１から３のいずれかに記載のテープ印刷装置。
【請求項５】
前記表示制御手段は、前記表示画面に前記印刷データの一つのブロックを末尾まで第１の方向にスクロール表示した後、当該ブロックを前記第１の方向とは直交する第２の方向にスクロールして前記表示画面から消去し、次のブロックを前記第２の方向にスクロールして前記表示画面に表示させることを特徴とする請求項１から３のいずれかに記載のテープ印刷装置。
【請求項６】
入力された印刷データを表示する表示手段を備え、前記印刷データを入力されたレイアウトに従ってテープ状の印刷媒体に印刷を行うテープ印刷装置における表示方法であって、
前記印刷データを、入力されたレイアウトに基づいて複数のブロックに分割し、入力されたレイアウトが複数行で構成され、その行数が前記表示手段の表示可能行数を超える場合には、行単位で前記ブロックに分割し、
分割されたブロックごとに、前記印刷データを前記表示手段によりスクロール表示させること、
を特徴とするテープ印刷装置における表示方法。
【手続補正２】
【補正対象書類名】明細書
【補正対象項目名】０００５
【補正方法】変更
【補正の内容】
【０００５】
上記目的を達成するために、本発明は、印刷データと、前記印刷データのレイアウトを入力する入力手段と、表示画面を有する表示手段と、前記印刷データを、前記入力手段により入力されたレイアウトに基づいて複数のブロックに分割する分割手段と、前記分割手段により分割されたブロックごとに、前記印刷データを前記表示手段によりスクロール表示させる表示制御手段と、前記印刷データを前記入力手段により入力されたレイアウトに従ってテープ状の印刷媒体に印刷する印刷手段と、を備え、前記分割手段は、前記入力手段により入力された前記印刷データのレイアウトが複数行で構成され、その行数が前記表示手段の表示可能行数を超える場合に、行単位で前記ブロックに分割すること、を特徴とする。
本発明によれば、印刷データをレイアウトに基づいて複数のブロックに分割し、このブロックごとにスクロール表示するので、印刷時のレイアウトを反映した状態で、印刷データが表示画面に視認性よく表示され、印刷データのレイアウトを表示画面で確認できる。
【手続補正３】
【補正対象書類名】明細書
【補正対象項目名】００１１
【補正方法】変更
【補正の内容】
【００１１】
また、上記目的を達成するために、本発明は、入力された印刷データを表示する表示手段を備え、前記印刷データを入力されたレイアウトに従ってテープ状の印刷媒体に印刷を行うテープ印刷装置における表示方法であって、前記印刷データを、入力されたレイアウトに基づいて複数のブロックに分割し、入力されたレイアウトが複数行で構成され、その行数が前記表示手段の表示可能行数を超える場合には、行単位で前記ブロックに分割し、分割されたブロックごとに、前記印刷データを前記表示手段によりスクロール表示させること、を特徴とする。
本発明によれば、印刷データをレイアウトに基づいて複数のブロックに分割し、このブロックごとにスクロール表示するので、印刷時のレイアウトを反映した状態で、印刷データが表示画面に視認性よく表示され、印刷データのレイアウトを表示画面で確認できる。
【手続補正書】
【提出日】平成26年2月19日(2014.2.19)
【手続補正１】
【補正対象書類名】明細書
【補正対象項目名】００３９
【補正方法】変更
【補正の内容】
【００３９】
なお、本発明は、上記実施形態に限定されるものではない。例えば上記実施形態では、撮像カメラ１１及び投光器１２が取り付けられる取付ブラケット１０を平板状としたが、取付ブラケット１０の形状としては、箱状やフレーム状等であっても良い。
【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
被検眼の瞳孔の位置を検出する位置検出手段と、
照明光学系を介して光を照射した前記被検眼からの戻り光の波面を検出する波面検出手段と、
前記検出された波面に基づいて収差を補正する補正手段と、
前記検出された位置に基づいて、前記補正手段における駆動領域の一部の領域である補正有効域を決定する決定手段と、
前記検出された波面に基づいて、前記補正手段の前記決定された補正有効域を駆動するように、前記補正手段を制御する制御手段と、
を備えることを特徴とする眼底撮像装置。
【請求項２】
前記補正手段は形状可変ミラーを備え、
前記補正有効域は、前記被検眼により反射された戻り光の前記形状可変ミラーの表面上の位置に対応する前記形状可変ミラーの表面の部分領域を含むことを特徴とする請求項１に記載の眼底撮像装置。
【請求項３】
前記決定手段は、前記照明光学系の光軸に対する被検眼のシフトに対応する前記補正手段の位置を前記補正有効域の略中心位置に決定することを特徴とする請求項１または２に記載の眼底撮像装置。
【請求項４】
前記被検眼の前眼部を観察する観察手段をさらに備え、
前記位置検出手段は、前記観察手段による観察結果に基づいて前記位置を検出することを特徴とする請求項１乃至３の何れか１項に記載の眼底撮像装置。
【請求項５】
前記位置検出手段は、前記波面検出手段の検出領域に照射される前記戻り光の位置に基づいて前記位置を検出することを特徴とする請求項１に記載の眼底撮像装置。
【請求項６】
前記位置検出手段は、前記被検眼の瞳孔径をさらに検出することを特徴とする請求項１乃至５のいずれか１項に記載の眼底撮像装置。
【請求項７】
前記位置検出手段により検出された前記位置と前記瞳孔径とに基づいて、前記照明光の光量を制御する光量制御手段をさらに備えることを特徴とする請求項６に記載の眼底撮像装置。
【請求項８】
前記決定される補正有効域の大きさが固定されており、
前記補正有効域外の光を前記光学系の有効径外に伝搬させる伝搬手段をさらに備えることを特徴とする請求項１乃至７の何れか１項に記載の眼底撮像装置。
【請求項９】
前記波面を検出するための波面検出光を生成する生成手段をさらに備え、
前記波面検出手段は、前記生成手段により生成された前記波面検出光を前記光学系を介して前記被検眼に照射することにより得られる戻り光に基づいて、前記波面を検出することを特徴とする請求項１乃至８の何れか１項に記載の眼底撮像装置。
【請求項１０】
前記照明光の光束径が前記被検眼の瞳孔径より大きく、前記波面検出手段の有効径と、前記補正手段の有効径とが前記照明光の光束径よりも大きいことを特徴とする請求項１乃至９の何れか１項に記載の眼底撮像装置。
【請求項１１】
前記補正手段は、前記照明光学系を介して前記被検眼へ照射される光、または前記被検眼からの戻り光、の収差を補正することを特徴とする請求項１乃至１０の何れか１項に記載の眼底撮像装置。
【請求項１２】
被検眼の瞳孔の位置を検出する位置検出工程と、
照明光学系を介して光を照射した前記被検眼からの戻り光の波面を検出する波面検出工程と、
前記検出された位置に基づいて、補正手段における駆動領域の一部の領域である補正有効域を決定する決定工程と、
前記検出された波面に基づいて、収差を補正する補正手段の前記決定された補正有効域を駆動するように、前記補正手段を制御する制御工程と、
を有することを特徴とする眼底撮像装置の制御方法。
【請求項１３】
前記補正手段は形状可変ミラーを備え、
前記補正有効域は、前記被検眼により反射された戻り光の前記形状可変ミラーの表面上の位置に対応する前記形状可変ミラーの表面の部分領域を含むことを特徴とする請求項１２に記載の眼底撮像装置の制御方法。
【請求項１４】
前記決定工程では、前記照明光学系の光軸に対する被検眼のシフトに対応する前記補正手段の位置を前記補正有効域の略中心位置に決定することを特徴とする請求項１２または１３に記載の眼底撮像装置の制御方法。
【請求項１５】
前記照明光の光束径が前記被検眼の瞳孔径より大きく、前記波面検出工程を実施する波面検出手段の有効径と、前記補正手段の有効径とが前記照明光の光束径よりも大きいことを特徴とする請求項１２乃至１４の何れか１項に記載の眼底撮像装置の制御方法。
【請求項１６】
請求項１２乃至１５の何れか１項に記載の眼底撮像装置の制御方法の各工程をコンピュータに実行させるためのプログラム。
【手続補正２】
【補正対象書類名】明細書
【補正対象項目名】００２０
【補正方法】変更
【補正の内容】
【００２０】
上記の目的を達成する本発明に係る眼底撮像装置は、
被検眼の瞳孔の位置を検出する位置検出手段と、
照明光学系を介して光を照射した前記被検眼からの戻り光の波面を検出する波面検出手段と、
前記検出された波面に基づいて収差を補正する補正手段と、
前記検出された位置に基づいて、前記補正手段における駆動領域の一部の領域である補正有効域を決定する決定手段と、
前記検出された波面に基づいて、前記補正手段の前記決定された補正有効域を駆動するように、前記補正手段を制御する制御手段と、
を備える。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
内視鏡挿入部の先端部に設けられた撮像素子と、
前記先端部の第１の温度を検出する第１の温度検出部と、
前記内視鏡挿入部の基端が接続される本体部に設けられ、前記撮像素子から出力される
画像信号から信号成分を取り出すための相関二重サンプリング部と、
前記先端部と前記本体部の間で電気信号を伝送するケーブルと、
前記本体部に設けられ、前記相関二重サンプリング部を動作させるためのサンプルホールド信号及び前記撮像素子を駆動するための駆動パルス信号を発生するタイミング発生部と、
前記第１の温度検出部により検出された前記第１の温度に基づいて、前記タイミング発生部が発生する前記サンプルホールド信号あるいは前記駆動パルス信号のタイミングを調整するタイミング調整部と、を備え、
前記タイミング調整部は、前記タイミングを補正する補正値を記憶するテーブルを参照して、前記テーブルから読み出された前記第１の温度に対応する補正値を用いて、前記サンプルホールド信号あるいは前記駆動パルス信号のタイミングを調整することを特徴とする電子内視鏡装置。
【請求項２】
前記本体部の第２の温度を検出する第２の温度検出部を有し、
前記タイミング調整部は、前記第１及び前記第２の温度に基づいて、前記タイミング発生部が発生する前記サンプルホールド信号あるいは前記駆動パルス信号のタイミングを調整することを特徴とする請求項１に記載の電子内視鏡装置。
【請求項３】
前記タイミング調整部は、前記サンプルホールド信号のタイミングを、前記サンプルホールド信号の位相又はパルス幅を変更することによって調整することを特徴とする請求項１又は２に記載の電子内視鏡装置。
【請求項４】
前記タイミング調整部は、前記駆動パルス信号のタイミングを、前記駆動パルス信号の位相を変更することによって調整することを特徴とする請求項１又は２に記載の電子内視鏡装置。
【請求項５】
前記タイミング調整部は、前記サンプルホールド信号のタイミングを、前記サンプルホールド信号の位相又はパルス幅を変更することによって調整し、かつ前記駆動パルス信号のタイミングを、前記駆動パルス信号の位相を変更することによって調整することを特徴とする請求項１又は２に記載の電子内視鏡装置。
【請求項６】
前記相関二重サンプリング部から出力されるアナログ信号の前記画像信号をデジタル信号に変換するアナログデジタル変換部を有し、
前記タイミング調整部は、前記アナログデジタル変換部へ入力される変換タイミング信号のタイミングも調整することを特徴とする請求項１から５のいずれか１つに記載の電子内視鏡装置。
【請求項７】
前記タイミング調整部は、前記タイミングを補正する補正値を記憶するテーブルを参照して、前記テーブルから読み出された前記第１の温度と前記第２の温度の組合せに対応する補正値を用いて、前記サンプルホールド信号あるいは前記駆動パルス信号のタイミングを調整することを特徴とする請求項２に記載の電子内視鏡装置。
【請求項８】
前記第１の温度を表示する温度表示部を有することを特徴とする請求１から７のいずれか１つに記載の電子内視鏡装置。
【請求項９】
前記先端部に設けられ、前記撮像素子へ供給される前記駆動パルス信号の波形を整形する波形整形回路を有することを特徴とする請求項１から８のいずれか１つに記載の電子内視鏡装置。
【請求項１０】
前記サンプルホールド信号あるいは前記駆動パルス信号のタイミング調整は映像のブランキング期間に行うことを特徴とする請求項１から９のいずれか１つに記載の電子内視鏡装置。
【手続補正２】
【補正対象書類名】明細書
【補正対象項目名】００１０
【補正方法】変更
【補正の内容】
【００１０】
本発明の一態様にかかる電子内視鏡装置は、内視鏡挿入部の先端部に設けられた撮像素子と、前記先端部の第１の温度を検出する第１の温度検出部と、前記内視鏡挿入部の基端が接続される本体部に設けられ、前記撮像素子から出力される画像信号から信号成分を取り出すための相関二重サンプリング部と、前記先端部と前記本体部の間で電気信号を伝送するケーブルと、前記本体部に設けられ、前記相関二重サンプリング部を動作させるためのサンプルホールド信号及び前記撮像素子を駆動するための駆動パルス信号を発生するタイミング発生部と、前記第１の温度検出部により検出された前記第１の温度に基づいて、前記タイミング発生部が発生する前記サンプルホールド信号あるいは前記駆動パルス信号のタイミングを調整するタイミング調整部と、を備え、前記タイミング調整部は、前記タイミングを補正する補正値を記憶するテーブルを参照して、前記テーブルから読み出された前記第１の温度に対応する補正値を用いて、前記サンプルホールド信号あるいは前記駆動パルス信号のタイミングを調整することを特徴とする。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
光の明暗パターンが投影された被検物のパターン投影画像を用いて前記被検物の計測を行う計測方法であって、
所定の前記明暗パターンを前記内視鏡装置の１箇所から前記被検物に投影し、
前記被検物において前記明暗パターンが投影された部分を撮像して１枚のパターン投影画像を取得し、
空間的位相シフト法またはフーリエ変換法を用いて前記明暗パターンが投影された部分の三次元形状を前記１枚のパターン投影画像から計測する
ことを特徴とする計測方法。
【請求項２】
請求項１に記載の計測方法であって、
前記１枚のパターン投影画像を取得する前と後との少なくともいずれかに、前記明暗パターンが投影される部分の明視野画像を少なくとも１枚取得し、
前記１枚のパターン投影画像および前記明視野画像から少なくとも２枚の画像を選択し、
前記２枚の画像において所定量以上の位置ずれがある場合に前記内視鏡装置の位置がずれたことを検出する
ことを特徴とする計測方法。
【請求項３】
請求項２に記載の計測方法であって
前記１枚のパターン投影画像を取得する前および後に前記明視野画像を少なくとも１枚ずつ取得することを特徴とする計測方法。
【請求項４】
請求項３に記載の計測方法であって、
前記内視鏡装置の位置がずれたことを検出するために選択される少なくとも２枚の画像は、前記明視野画像から選択されることを特徴とする計測方法。
【手続補正２】
【補正対象書類名】明細書
【補正対象項目名】０００６
【補正方法】変更
【補正の内容】
【０００６】
上記課題を解決するために、この発明は以下の手段を提案している。
本発明の一実施態様にかかる内視鏡装置は、光の明暗パターンが投影された被検物のパターン投影画像を用いて前記被検物の計測を行う内視鏡装置であって、挿入部と、前記挿入部の先端部に設けられ、前記被検物の画像を取得する撮像部と、前記撮像部の観察視野を照明する照明光を発する照明部と、前記被検物に前記明暗パターンを投影するパターン投影部と、を備え、前記挿入部の先端面には、前記撮像部に前記被検物の像を結像させる対物光学系と、前記照明光を出射する１つ以上の照明窓と、前記パターン投影部から前記被検物へ前記明暗パターンを投影する１つの投影窓と、が設けられ、前記パターン投影部は、前記明暗パターンを生成するパターン生成部を備え、前記明暗パターンは、明部と暗部とが繰り返し交互に配置された分布パターンであることを特徴とする。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
光の明暗パターンが投影された被検物のパターン投影画像を用いて前記被検物の計測を行う内視鏡装置であって、
挿入部と、
前記挿入部の先端部に設けられ、前記被検物の画像を取得する撮像部と、
前記撮像部の観察視野を照明する照明光を発する照明部と、
前記被検物に前記明暗パターンを投影するパターン投影部と、
を備え、
前記挿入部の先端面には、
前記撮像部に前記被検物の像を結像させる対物光学系と、
前記照明光を出射する１つ以上の照明窓と、
前記パターン投影部から前記被検物へ前記明暗パターンを投影する１つの投影窓と、
が設けられ、
前記パターン投影部は、前記明暗パターンを生成するパターン生成部を備え、前記明暗パターンは、明部と暗部とが繰り返し交互に配置された分布パターンである
ことを特徴とする内視鏡装置。
【請求項２】
請求項１に記載の内視鏡装置であって、
前記対物光学系は、前記対物光学系の光軸のうち前記対物光学系から前記撮像部に向かう出射側の光軸が、前記挿入部の中心軸線に対して平行かつ偏心するように配置されていることを特徴とする内視鏡装置。
【請求項３】
請求項２に記載の内視鏡装置であって、
前記対物光学系は入射側の光軸と出射側の光軸とがともに前記中心軸線と平行な直視型対物光学系であって、
前記対物光学系は、前記挿入部の先端部の先端面に設けられ、前記中心軸線に対して偏心した位置に配置されていることを特徴とする内視鏡装置。
【請求項４】
請求項３に記載の内視鏡装置であって、
前記投影窓は、前記先端面に設けられ、前記挿入部の中心軸線に対して偏心した位置に配置されていることを特徴とする内視鏡装置。
【請求項５】
請求項２に記載の内視鏡装置であって、
前記対物光学系は、前記挿入部の先端部の外周面に露出され、入射側の光軸が前記中心軸線に対してねじれの位置に配置された側視型対物光学系である
ことを特徴とする内視鏡装置。
【請求項６】
請求項５に記載の内視鏡装置であって、
前記投影窓は、前記挿入部の先端部の外周面に露出され、
前記投影窓の厚さ方向から前記投影窓を見たときの前記投影窓の中心を通り前記投影窓の厚さ方向に延びる中心線は、前記挿入部の中心軸線に対してねじれの位置に配置されていることを特徴とする内視鏡装置。
【請求項７】
請求項２に記載の内視鏡装置であって、
前記対物光学系は、前記挿入部の先端部の外周面に露出され、入射側の光軸が前記挿入部の中心軸線に対して交差して配置された側視型対物光学系であって、
前記投影窓は、前記投影窓の厚さ方向から前記投影窓を見たときの前記投影窓の中心が、前記挿入部の中心軸線と前記入射側の光軸とによって規定される平面内に存するように前記挿入部の先端部の外周面に配置されていることを特徴とする内視鏡装置。
【請求項８】
請求項１に記載の内視鏡装置であって、
前記パターン投影部は、ライン状の１本以上の平行するパターンを有していることを特徴とする内視鏡装置。
【請求項９】
請求項１に記載の内視鏡装置であって、
前記パターン投影部は、投影用光源と、前記投影用光源から出射される光の強度分布を変更し、前記明暗パターンを生成する前記パターン生成部とを備えていることを特徴とする内視鏡装置。
【請求項１０】
請求項９に記載の内視鏡装置であって、
前記投影用光源から出射される光を前記パターン生成部に導く光ファイバーを備え、
前記投影用光源は、前記挿入部の基端側に設けられ、
前記パターン生成部は、前記挿入部の先端部に設けられていることを特徴とする内視鏡装置。
【請求項１１】
請求項９に記載の内視鏡装置であって、
前記投影用光源及び前記パターン生成部は、前記挿入部の先端部に設けられていること
を特徴とする内視鏡装置。
【請求項１２】
請求項９に記載の内視鏡装置であって、
前記投影用光源から出射され、前記パターン生成部によって生成された前記明暗パターンを前記挿入部の先端側まで導く光ファイバーを備え、
前記投影用光源及び前記パターン生成部は、前記挿入部の基端側に設けられていること
を特徴とする内視鏡装置。
【請求項１３】
請求項９に記載の内視鏡装置であって、
前記挿入部の先端部に着脱自在に装着可能な光学アダプタを備え、
前記パターン生成部は、前記光学アダプタに設けられていることを特徴とする内視鏡装置。
【請求項１４】
請求項１３に記載の内視鏡装置であって、
前記投影用光源は、前記光学アダプタに設けられていることを特徴とする内視鏡装置。
【請求項１５】
請求項１〜請求項１４の何れか１項に記載の内視鏡装置であって、
前記明暗パターンを投影するための光と前記照明光とを切り替える切り替え手段を備えることを特徴とする内視鏡装置。
【請求項１６】
被検物の三次元形状を内視鏡を用いて計測する計測方法であって、
所定の明暗パターンを前記内視鏡の一箇所から前記被検物に投影し、
前記被検物において前記明暗パターンが投影された部分を撮像して少なくとも１枚のパターン投影画像を取得し、
前記明暗パターンが投影された部分の三次元形状を前記パターン投影画像を用いて計測する
ことを特徴とする計測方法。
【手続補正２】
【補正対象書類名】明細書
【補正対象項目名】０００６
【補正方法】変更
【補正の内容】
【０００６】
上記課題を解決するために、この発明は以下の手段を提案している。
本発明の一実施態様にかかる内視鏡装置は、光の明暗パターンが投影された被検物のパターン投影画像を用いて前記被検物の計測を行う内視鏡装置であって、挿入部と、前記挿入部の先端部に設けられ、前記被検物の画像を取得する撮像部と、前記撮像部の観察視野を照明する照明光を発する照明部と、前記被検物に前記明暗パターンを投影するパターン投影部と、を備え、前記挿入部の先端面には、前記撮像部に前記被検物の像を結像させる対物光学系と、前記照明光を出射する１つ以上の照明窓と、前記パターン投影部から前記被検物へ前記明暗パターンを投影する１つの投影窓と、が設けられ、前記パターン投影部は、前記明暗パターンを生成するパターン生成部を備え、前記明暗パターンは、明部と暗部とが繰り返し交互に配置された分布パターンであることを特徴とする。